(57)【要約】【課題】光ディスク装置において、装置本体内部で放射される電磁界が外部に漏れるのを防止することにある。【解決手段】光ディスク装置において、トレイ連動板８の固定部８１及び連結棒８２の表面にシールド板金８３を配置し、シールド板金８３をメカシャーシ１に電気的に接地する。また、装置本体内部で放射される電磁界の放射方向によって固定部８１及びシールド板金８３を傾ける。【選択図】　　　図１
2004087005.tif 000002
【特許請求の範囲】
【請求項１】
装置本体と、
前記装置本体の外部に配置される取出位置と前記装置本体の内部に収納される読出位置との間を移動可能であり、光ディスクを取り付るためのトレイと、
前記装置本体内部において前記トレイの下方に配置されるテーブルと、
前記装置本体内部に配置され、前記トレイが読出位置にある場合に前記光ディスクを前記テーブルと共に狭持するクランパと、
前記トレイを駆動するトレイ駆動用ギアと、
を備える光ディスク装置において、
前記トレイ駆動用ギアに、高さの異なる部分が形成されたクランパ昇降部を設け、
前記クランパに、
クランパ本体を後端部付近で上下方向に回動可能に支持する支持軸と、
前記支持軸に隣接して配置され、前記クランパ本体を下方に付勢するクランプ用スプリングと、
前記トレイの蓋部の隣接する後側で前記トレイを挟み込んで固定するコ字部と、少なくとも前記コ字部の表面に配置されるシールド板金とを有し、前記シールド板金が前記装置本体に電気的に接地されるトレイ連動板と、
前記クランパ昇降部の上面に接触する突起部とを設け、
前記トレイが前記取出位置に移動する場合に、前記突起部が前記クランパ昇降部の高い位置に移動することにより前記クランパが上方に移動し、前記光ディスクの挟持を解除すると共に、前記コ字部による前記トレイの固定を解除し、
前記トレイが前記読出位置に移動する場合に、前記突起部が前記クランパ昇降部の低い位置に移動することにより前記クランパが下方に移動し、前記光ディスクを挟持すると共に、前記コ字部により前記トレイを固定し、
前記トレイ連動板によって前記装置本体内部で放射される電磁界が外部に漏れるのを防止する、
ことを特徴とする光ディスク装置。
【請求項２】
前記コ字部は、前記トレイを固定する場合に前記トレイに対して傾きを持つように形成し、前記装置本体内部で放射される電磁界が外部に漏れるのを防止することを特徴とする、請求項１に記載の光ディスク装置。
【請求項３】
装置本体と、
前記装置本体の外部に配置される取出位置と前記装置本体の内部に収納される読出位置との間を移動可能であり、光ディスクを取り付るためのトレイと、
前記装置本体内部において前記トレイの下方に配置されるテーブルと、
前記装置本体内部に配置され、少なくとも一部が金属で形成されるクランパと、
前記トレイを駆動するトレイ駆動用ギアと、
を備える光ディスク装置。
【請求項４】
前記トレイ駆動用ギアは、高さの異なる部分が形成されたクランパ昇降部を有し、
前記クランパは、
クランパ本体と、
前記クランパ本体を後端部付近で上下方向に回動可能に支持する支持軸と、
前記支持軸に隣接して配置され、前記クランパ本体を下方に付勢するクランプ用スプリングと、
前記トレイの蓋部の隣接する後側で前記トレイを挟み込んで固定するコ字部と、少なくとも前記コ字部の表面に配置されるシールド板金とを有するトレイ連動板と、
前記クランパ昇降部の上面に接触する突起部とを有する、
請求項３に記載の光ディスク装置。
【請求項５】
前記コ字部は、前記トレイを固定する場合に前記トレイに対して傾きを持つように形成されている、請求項４に記載の光ディスク装置。
【請求項６】
前記シールド板金は前記装置本体に電気的に接地されている、請求項３から５のいずれかに記載の光ディスク装置。
【発明の詳細な説明】
【０００１】
【発明の属する技術分野】
本発明は、光ディスク装置、特に、ＣＤやＤＶＤなどの光ディスクの再生及び／又は記録用の光ディスク装置に関する。
【０００２】
【従来の技術】
光ディスク装置の装置内部から電磁界が外部に漏れるのを防止する光ディスク装置は、例えば、特開平８−７４３１号公報に記載されている。この光ディスク装置は、同公報第２図のように、接地用導体８を備えている。この接地用導体８は、配線７ａを介して、制御回路用基板７に接続されている。また、シャーシ６には、トレイ４の移動をスムーズに停止させるための緩衝緩和用の接地用板バネ９が配置されており、接地用板バネ９はシャーシ６に電気的に接地されている。
【０００３】
この光ディスク装置では、トレイ４がシャーシ６内部に収納される場合に、接地用導体８が接地用板バネ９に接触し、トレイ４の制御用回路基板７から放射される電磁界を低減する。
【０００４】
【発明が解決しようとする課題】
上記公報に記載された光ディスク装置では、トレイ４の制御用回路基板７から発生する電磁界を低減するが、光ピックアップの駆動により放射される電磁界やトレイ４の駆動により放射される電磁界が外部に漏れる恐れがある。
本発明の別の目的は、光ディスク装置において、装置本体内部で放射される電磁界が外部に漏れるのを防止することにある。
【０００５】
【課題を解決するための手段】
第１発明に係る光ディスク装置は、装置本体と、装置本体の外部に配置される取出位置と装置本体の内部に収納される読出位置との間を移動可能であり、光ディスクを取り付るためのトレイと、装置本体内部においてトレイの下方に配置されるテーブルと、装置本体内部に配置され、トレイが読出位置にある場合に光ディスクをテーブルと共に狭持するクランパと、トレイを駆動するトレイ駆動用ギアとを備える光ディスク装置において、以下の特徴を有する。
【０００６】
即ち、トレイ駆動用ギアに、高さの異なる部分が形成されたクランパ昇降部を設ける。また、クランパに、クランパ本体を後端部付近で上下方向に回動可能に支持する支持軸と；支持軸に隣接して配置され、クランパ本体を下方に付勢するクランプ用スプリングと；トレイの蓋部の隣接する後側でトレイを挟み込んで固定するコ字部と、少なくともコ字部の表面に配置されるシールド板金とを有し、シールド板金が装置本体に電気的に接地されるトレイ連動板と；クランパ昇降部の上面に接触する突起部と；を設ける。
【０００７】
この光ディスク装置では、トレイが取出位置に移動する場合に、突起部がクランパ昇降部の高い位置に移動することによりクランパが上方に移動し、光ディスクの挟持を解除すると共に、コ字部によるトレイの固定を解除する。また、トレイが読出位置に移動する場合に、突起部がクランパ昇降部の低い位置に移動することによりクランパが下方に移動し、光ディスクを挟持すると共に、コ字部によりトレイを固定する。さらに、トレイ連動板によって装置本体内部で放射される電磁界が外部に漏れるのを防止する。
【０００８】
この光ディスク装置によれば、トレイをフロントパネル側で固定するコ字部の表面にシールド板金が配置されているため、前記装置本体内部で放射される電磁界が外部に漏れるのを防止し得る。
また、トレイのフロントパネル側をコ字部により挟み込んで固定するので、トレイとクランパとの隙間がなくなり、装置本体内部で放射される電磁界が外部に漏れるのを効果的に防止し得る。
【０００９】
さらに、シールド板金は装置本体に電気的に接地されているので、装置本体内部で放射される電磁界が外部に漏れるのをさらに効果的に防止し得る。
第２発明に係る光ディスク装置は、第１発明に係る光ディスク装置において、コ字部は、トレイを固定する場合にトレイに対して傾きを持つように形成する。この光ディスク装置によれば、装置本体内部からの放射電磁界の方向に基づいてコ字部の傾きを調整することにより、装置本体内部で放射される電磁界が外部に漏れるのを効果的に防止し得る。
【００１０】
第３発明に係る光ディスク装置は、装置本体と；装置本体の外部に配置される取出位置と装置本体の内部に収納される読出位置との間を移動可能であり、光ディスクを取り付るためのトレイと；装置本体内部においトレイの下方に配置されるテーブルと；装置本体内部に配置され、少なくとも一部が金属で形成されるクランパと；トレイを駆動するトレイ駆動用ギアと；を備えている。
【００１１】
この光ディスク装置によれば、クランパの少なくとも一部が金属で形成されるので、装置本体内部で放射される電磁界が外部に漏れるのを防止し得る。
第４発明に係る光ディスク装置は、第３発明に係る光ディスク装置において、トレイ駆動用ギアは、高さの異なる部分が形成されたクランパ昇降部を有している。またクランパは、クランパ本体と；クランパ本体を後端部付近で上下方向に回動可能に支持する支持軸と；支持軸に隣接して配置され、クランパ本体を下方に付勢するクランプ用スプリングと；トレイの蓋部の隣接する後側でトレイを挟み込んで固定するコ字部と、少なくともコ字部の表面に配置されるシールド板金とを有するトレイ連動板と；クランパ昇降部の上面に接触する突起部と；を有している。
【００１２】
この光ディスク装置によれば、トレイのフロントパネル側をコ字部により挟み込んで固定するので、トレイとクランパとの隙間がなくなり、電磁界がフロントパネル側から漏れるのを効果的に防止し得る。
第５発明に係る光ディスク装置は、第４発明に係る光ディスク装置において、コ字部は、トレイを固定する場合にトレイに対して傾きを持つように形成されている。
【００１３】
この光ディスク装置によれば、装置本体内部からの放射電磁界の方向に基づいてコ字部の傾きを調整することにより、装置本体内部で放射される電磁界が外部に漏れるのを効果的に防止し得る。
第６発明に係る光ディスク装置は、第３から第５発明のいずれかに係る光ディスク装置において、シールド板金は装置本体に電気的に接地されている。
【００１４】
この場合、シールド板金が装置本体に電気的に接地されているので、電磁界がフロントパネル側から外部に漏れるのをさらに効果的に防止し得る。
（１）
【発明の実施の形態】
（１）第１実施形態例
（１−１）構成
図１は、第１実施形態例に係る光ディスク装置の上面図である。図２はこの光ディスク装置の前面図、図３はこの光ディスク装置の右側面図、図４はこの光ディスク装置の左側面図である。
【００１５】
この光ディスク装置は、メカシャーシ１と、トレイ６と、クランパ７と、テーブル１０とを主に備えている。
メカシャーシ１の左側には、トレイ駆動用モータ２と、ベルト３と、内側駆動用ギア４と、トレイ駆動用ギア５とが設けられている。トレイ駆動用モータ２には、モータ軸プリーが取り付けられており、このモータ軸プリーにベルト３が連結されている。また、ベルト３は、他端において内側駆動用ギア４に一体化したプリーに連結されており、トレイ駆動用モータ２の回転を内側駆動用ギア４に伝達する。内側駆動用ギア４は、トレイ駆動用ギア５の下側ギアと組み合い、その回転をトレイ駆動用ギア５に伝達する。
【００１６】
トレイ６は、メカシャーシ１に前後方向に移動可能に配置されている。トレイ６は、前端部に蓋部６１を有しており、上面にはディスク１００に略合致する溝部６２を有している。また、トレイ６は、トレイ駆動用ギア５に噛み合う往復ギア６３を有している。トレイ駆動用ギア５の回転が往復ギア６３に伝達されると、トレイ６は前後方向に移動する。
【００１７】
クランパ７は、図４に示すように、クランプ用スプリング７４により下方に付勢されて、トレイ６の上方に配置されている。クランパ７は、クランパ本体７１と、ディスククランプ部７２と、突起部７３と、クランプ用スプリング７４と、支持軸７５とを有している。ディスククランプ部７２は、クランパ本体７１の略中央に上下方向に移動可能に配置されており、着磁している。突起部７３は、クランパ本体７１のトレイ駆動用ギア５の側に形成されている。突起部７３は、トレイ駆動用ギア５の上面に接触するように配置されている。クランプ用スプリング７４は、後端部付近においてクランパ本体７１を下方に付勢している。支持軸７５は、クランプ用スプリング７４に隣接する前側において、クランパ本体７１を上下方向に回動可能に支持している。
【００１８】
また、クランパ７は、トレイ連動板８を有している。トレイ連動板８は、固定部８１と、連結棒８２と、シールド板金８３とを有している。連結棒８２は、固定部８１をクランパ本体７１に固定する。シールド板金８３は、固定部８１と、連結棒８２の一部との表面に配置される。なお、シールド板金８３は、連結棒８２の表面全体を覆うように形成しても良い。固定部８１は、トレイ６の蓋部６１に隣接する後側でトレイ６を挟み込むようにコ字型に形成されている。
【００１９】
また、トレイ６の下方には、図２に示すように、テーブル１０がメカシャーシ１に支持されて配置されている。テーブル１０は、ピックアップ駆動用モータ１１と、ディスク回転モータ１２とを備えている。ディスク回転モータ１２には、図３に示すように、ディスク固定部１３が取り付けられている。ディスク固定部１３は、金属で形成されている。
【００２０】
図５は、トレイ駆動用ギア５の拡大図である。トレイ駆動用ギア５は、上側ギア５１と、下側ギア５２と、トレイ昇降部５３とを有している。トレイ昇降部５３は、第１部分５０１と、第１部分よりも低く形成された第２部分（カット部）５０２とを有している。トレイ６が読出位置に収納されている場合には、クランパ７の突起部７３は第２部分５０２の上面に接触している。一方、トレイ６が取出位置にある場合には、クランパ７の突起部７３は、第１部分５０１に接触している。
【００２１】
〔動作〕
トレイ駆動用ギア５が回転してトレイ６が読出位置から取出位置に移動すると、突起部７３は第１部分５０１に移動して押し上げられる。これにより、クランパ本体７１は、クランプ用スプリング７４に抗して支持軸７５を中心に上方に回動する。この結果、ディスククランプ部７２によるディスククランプが解除されると共に、固定部８１によるトレイ６の固定が解除される。
【００２２】
その後、トレイ駆動用ギア５が逆に回転してトレイ６が取出位置から読出位置に移動すると、突起部７３は、クランプ用スプリング７４の付勢により、トレイ駆動用ギア５の上面を第１部分５０１から第２部分５０２へと下方に移動する。突起部７３は第２部分５０２の高さまで下がり、クランパ本体７１も支持軸７５を中心に下方に回動する。クランパ本体７１が下方に移動すると共に、テーブル１０が上方に移動してディスク固定部１３がディスク１００の下面に接触する。このとき、ディスククランプ部７１は磁力によりディスク固定部１３に引き寄せられ、ディスククランプ部７１及びディスク固定部１３により、ディスク１００が挟持される。また、クランパ本体７１が下方に移動すると、トレイ連動板８も下方に移動し、固定部８１が蓋部６１に隣接する後側でトレイ６を挟み込んで固定する。即ち、クランパ７は、ディスククランプと同時にトレイ６を固定する。
【００２３】
また、シールド板金８３は、光ピックアップの駆動により放射される電磁界やトレイ６の駆動により放射される電磁界をシールドする。
〔まとめ〕
この光ディスク装置によれば、トレイ６をフロントパネル側で固定するコ字部（固定部８１）の表面にシールド板金８３が配置されているため、装置本体内部で放射される電磁界が外部に漏れるのを防止し得る。
【００２４】
また、トレイ６のフロントパネル側をコ字部（固定部８１）により挟み込んで固定するので、トレイ６とクランパ７との隙間がなくなり、電磁界がフロントパネル側から外部に漏れるのを効果的に防止し得る。
また、クランパ７の固定部８１がトレイ６を挟み込んで固定するので、実質的にトレイ６の重量が大きくなり、内部及び外部からのトレイ６の振動を低減し得る。これにより、再生及び記録時においてトレイ６の振動を低減し、サーボ制御の安定化を図れる。
【００２５】
また、図２に示すように、トレイ６のフロントパネル側を固定部８１により挟み込むので、蓋部６１とフロントパネルとの隙間から侵入する埃を低減し、防塵性を向上し得る。
また、図２に示すように、トレイ６のフロントパネル側を固定部８１により挟み込むので、蓋部６１とフロントパネルとの隙間から侵入する音圧や風圧を遮ることができ、サーボ制御に与える影響を低減し得る。
【００２６】
また、図２に示すように、トレイ６のフロントパネル側を固定部８１により挟み込むので、蓋部６１とフロントパネルとの隙間から漏れる運転音を低減し、静寂性を向上し得る。
（２）第２実施形態例
図６は第２実施形態例に係る光ディスク装置の右側面図、図７は第２実施形態例に係る光ディスク装置の左側面図である。この光ディスク装置の上面図、前面図及びトレイ駆動ギアの拡大図は、第１実施形態例と同様であるので省略する。
【００２７】
図６及び図７に示すように、本実施形態例では、トレイ連動板８において、固定部８１が前後方向に傾きを持って形成され、その固定部８１及び連結棒８２の表面にシールド板金８３が配置されている。その他の構成については、第１実施形態例と同様であるので説明を省略する。固定部８１及びシールド板金８３の傾きは、装置内部で放射される電磁波の放射方向に基づいて調節する。
【００２８】
このようにシールド板金８３を電磁波の放射方向に基づいて調節することにより、光ディスク装置ごとの回路構成により電磁波の放射方向が異なる場合にも、フロントパネル側から漏れる電磁波を有効に防止し得る。
（３）他の実施形態例
（ａ）第１及び第２実施形態例において、シールド板金８３を配線によりメカシャーシ１に接続しても良い。この場合、シールド板金８３がメカシャーシ１に電気的に接地されるので、電磁界がフロントパネル側から外部に漏れるのをさらに効果的に防止し得る。
【００２９】
（ｂ）第１及び第２実施形態例では、固定部８１及び連結棒８２にシールド板金８３を配置したが、固定部８１及び連結棒８２自体を金属で形成しても良い。
【００３０】
【発明の効果】
本発明によれば、光ディスク装置において、装置本体内部で放射される電磁界が外部に漏れるのを防止し得る。
【図面の簡単な説明】
【図１】第１実施形態例に係る光ディスク装置の上面図。
【図２】この光ディスク装置の前面図。
【図３】この光ディスク装置の右側面図。
【図４】この光ディスク装置の左側面図。
【図５】トレイ駆動用ギアの拡大図。
【図６】第２実施形態例に係る光ディスク装置の右側面図。
【図７】第２実施形態例に係る光ディスク装置の左側面図。
【符号の説明】
１　メカシャーシ
２　トレイ駆動用モータ
３　ベルト
４　内側駆動用ギア
５　トレイ駆動用ギア
６　トレイ
７　クランパ
８　トレイ連動板
１０　テーブル
１１　ピックアップ駆動モータ
１２　ディスク回転モータ
１３　ディスク支持部
５１　上側ギア
５２　下側ギア
５３　トレイ昇降部
６１　蓋部
６２　溝部
６３　往復ギア
７１　クランパ本体
７２　ディスククランプ部
７３　突起部
７４　クランプ用スプリング
７５　支持軸
８１　固定部
８２　連結棒
８３　シールド板金
５０１　第１部分
５０２　第２部分（カット部）
【図１】
2004087005.tif 000003
【図２】
2004087005.tif 000004
【図３】
2004087005.tif 000005
【図４】
2004087005.tif 000006
【図５】
2004087005.tif 000007
【図６】
2004087005.tif 000008
【図７】
2004087005.tif 000009